(57)【要約】【課題】  電子錠式キャビネットの複数の引出しをひとつのリーダで一括して開錠する。複数の引出し間の通信を非接触で行う。【解決手段】  １段目（最上段）の引出し１０は、ＩＣカードリーダ２０と、この出力でロックを解除する制御部及び機構２１，２２と、開錠信号を送信する赤外線ユニット２３とを備える。２段目と３段目の引出し１０は、開錠信号を送受信する赤外線ユニット２３と、この出力でロックを解除する制御部及び機構２１，２２とを備える。ＩＣカードリーダ２０で受信した開錠信号で１段目を開錠すると共に、開錠信号を２段目へ送る。受信した開錠信号で２段目を開錠すると共に、開錠信号を３段目へ送る。このように開錠信号がリレーされることで、複数の引出しを一括して開錠できる。【選択図】              図１
2008013974.tif 000002
【特許請求の範囲】
【請求項１】
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を送信する光通信部とを含み、
他の前記引出しは、前記引出しを施錠する施錠機構と、前記開錠信号を受信する光通信部と、前記光通信部の出力を受けて前記施錠機構による施錠を解除する制御部とを含み、
隣接する前記引出しの前記光通信部は、前記引出しが収納された状態において互いに対向するように配置されていることを特徴とする電子錠式収納庫。
【請求項２】
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を送信する光通信部とを含み、
他の前記引出しは、前記引出しを施錠する施錠機構と、前記開錠信号を受信する光通信部と、前記光通信部の出力を受けて前記施錠機構による施錠を解除する制御部とを含み、
前記読み取り部を含む前記引出しと他の前記引出しとの間に位置する引出しは、前記引出しを施錠する施錠機構と、前記開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
隣接する前記引出しの前記光通信部と前記第１の光通信部又は前記第２の光通信部は、前記引出しが収納された状態において互いに対向するように配置されていることを特徴とする電子錠式収納庫。
【請求項３】
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を送信する第１の光通信部及び前記第２の光通信部とを含み、
他の前記引出しは、前記引出しを施錠する施錠機構と、前記開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置されていることを特徴とする電子錠式収納庫。
【請求項４】
端に位置する前記引出しの前記制御部は、前記第１の光通信部と前記第２の光通信部のうち前記引出しに隣接していない側の光通信部を無効とすることを特徴とする請求項３記載の電子錠式収納庫。
【請求項５】
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しは、それぞれ、前記引出しを施錠する施錠機構と、開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を外部へ送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置され、
最上段又は最左側の引出しの前記第１の光通信部又は最下段又は最右側の引出しの前記第２の光通信部のいずれかは、外部から前記開錠信号を受けることを特徴とする電子錠式収納庫。
【請求項６】
前記光通信部、前記第１の光通信部及び前記第２の光通信部は、前記引出しの前面盤の内部であって、前記前面盤の上端又は下端の一方あるいは両方、又は前記前面盤の左端又は右端の一方あるいは両方に設けられている、ことを特徴とする請求項１乃至請求項５いずれかに記載の電子錠式収納庫。
【請求項７】
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を外部へ送信する光通信部とを含み、
他の前記引出しは、前記引出しを施錠する施錠機構と、前記開錠信号を受信する光通信部と、前記光通信部の出力を受けて前記施錠機構による施錠を解除する制御部とを含み、
前記本体には導光部材が設けられ、
前記複数の引出しの前記光通信部は、前記引出しが収納された状態において、それぞれ前記導光部材に向くように配置されていることを特徴とする電子錠式収納庫。
【請求項８】
下記（１）乃至（３）を備える電子錠式収納システム。
（１）本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しは、それぞれ、前記引出しを施錠する施錠機構と、開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置され、
端に位置する前記引出しの前記第１の光通信部又は前記第２の光通信部の少なくともいずれかは、外部からの前記開錠信号を受けることを特徴とする電子錠式収納庫
（２）非接触カードなどの電子鍵と通信する読み取り部と、前記読み取り部の出力を受けて前記開錠信号を生成する制御部とを備える管理装置
（３）最上段又は最左側の前記引出しの前記第１の光通信部又は最下段又は最右側の前記引出しの前記第２の光通信部のいずれかと互いに対向するように配置されている光通信部と、前記光通信部を前記管理装置の前記制御部に接続する配線とを備える天板又は底板
【請求項９】
下記（１）乃至（３）を備える電子錠式収納システム。
（１）本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しは、それぞれ、前記引出しを施錠する施錠機構と、開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置され、
端に位置する引出しの前記第１の光通信部又は前記第２の光通信部の少なくともいずれかは、外部からの前記開錠信号を受けることを特徴とする電子錠式収納庫
（２）非接触カードなどの電子鍵と通信する読み取り部と、前記読み取り部の出力を受けて前記開錠信号を生成する制御部と、前記開錠信号を送信する光通信部とを備える管理装置
（３）前記管理装置の前記光通信部の出力光を最上段又は最左側の前記引出しの前記第１の光通信部又は最下段又は最右側の前記引出しの前記第２の光通信部のいずれかへ導く導光部材を備える天板又は底板
【発明の詳細な説明】
【技術分野】
【０００１】
この発明は、非接触式ＩＣカードなどにより開錠を行う電子錠式収納庫及び電子錠式収納システムに関する。
【背景技術】
【０００２】
【特許文献１】特開２００６−４２６８号公報「貸しロッカーシステム」  解錠ＩＤによってロッカーボックスを解錠できるような貸しロッカーシステムにおいて、別途保管時の作業や本人照合等を容易にする。携帯電話機にサーバからロッカー利用アプリをダウンロードしてユーザーＩＤを設定する。携帯電話機と集中制御装置で通信を行い、解錠ＩＤによりロッカーボックスの利用を可能とする。ＩＣカードでの利用も可能とする。利用時間が別途保管日数を経過したものを別途保管対象とし、別途保管処理したとき対応するロッカーボックスの解錠ＩＤを記録した管理票をプリントアウトする。利用者が取り出し操作をしたときに、別途保管処理されている場合は、その解除ＩＤを記録した証明書をプリントアウトする。管理票と証明書で本人照合をして荷物の受け渡しをする。インターネットを介して電子メール等で、別途保管されている情報等を確認できるようにしたり、通報したりする。
【特許文献２】特開２００６−４２６９号公報「貸しロッカーシステム」  貸しロッカーシステムにおいて、防犯対策や停電などに対応してロッカーボックスを一斉に利用制限する場合に、設定作業を容易にする。タッチパネル付きＬＣＤ表示器で利用制限時間を任意に設定可能にする。オペレータが利用制限時間を設定すると、内部時計で日時を監視し、利用制限時間内になると未使用のロッカーボックスを施錠する。使用中のロッカーボックスは荷物が取り出されたら施錠する。利用制限時間を過ぎると、利用可能とする。通常は外部電源によって動作し、停電等により外部電源が遮断されると無停電電源装置によって動作するとともに、未使用のロッカーボックスを施錠する。
【特許文献３】特開２００５−３１４９４４号公報「貸しロッカーシステム」  携帯に便利な１台の携帯電話や１台のＩＣカードにより、一人の利用者が複数のロッカーボックスを利用できるようにし、使い勝手のよい貸しロッカーシステムを提供する。ロッカー扉を開けて荷物を収納し、施錠スイッチを操作する。集中制御装置と携帯電話機とで通信してＩＤコードを授受する。集中制御装置と非接触ＩＣカードとで通信してＩＤコードを授受する。ＩＤコードとロッカーボックスのロッカー番号を対応付け、一つのＩＤコードに複数のロッカー番号を対応つけて記憶できるようにする。一つのＩＤコードで対応するロッカーボックスを解錠する。
【特許文献４】特開２００５−３１４９４５号公報「貸しロッカーシステム」  携帯に便利な携帯電話を用いてユーザーＩＤによりロッカーボックスを解錠できるようにしながら、荷物の取り出しを別の人に委託できるようにする。携帯電話機（Ａ），（Ｂ）にサーバからロッカー利用アプリをダウンロードする。携帯電話機（Ａ）にその携帯電話機（Ａ）に固有のユーザーＩＤを設定し、携帯電話機（Ｂ）にその携帯電話機（Ｂ）に固有のユーザーＩＤを設定する。荷物を預けると、集中制御装置１で解錠番号、ボックス番号を携帯電話機（Ａ）に送信する。電子メールで携帯電話機（Ａ）から携帯電話機（Ｂ）にメール転送フラグを付加した解錠番号とボックス番号を送信する。ユーザーＩＤが一致しなければ、解錠番号にメール転送フラグが付加されているときのみ解錠する。
【特許文献５】特開２００５−３１６６８８号公報「貸しロッカーシステム」  携帯に便利な携帯電話やＩＣカードを用いてロッカーボックスを解錠できるようにしながら、携帯電話やＩＣカードのチャージ金額の利用と現金の投入とを併用できるようにして利用し易いロッカーシステムを提供する。ロッカー扉を開けて荷物を収納し、施錠スイッチを操作する。集中制御装置と携帯電話機とで赤外線で通信する。携帯電話機のＩＤコードとチャージデータを集中制御装置で読み取る。チャージ金額が利用料金に不足していれば操作表示部に不足料金の投入を案内する。硬貨投入口、紙幣投入口から料金を投入する。集中制御装置は現金処理のモードにより、つり銭を現金で払い出すとともに携帯電話機Ｔのチャージする金額をゼロにする。
【特許文献６】特開２００５−１６３２６３号公報「貸しロッカーシステム」  携帯に便利な送信手段を用いてＩＤコードによりロッカーボックスを解錠できるようにしながら、簡単な制御でしかも利用し易いロッカーシステムを提供する。空きロッカーボックスのロッカー扉を開けて荷物を収納し、施錠スイッチを操作する。集中制御装置は、各ロッカーボックスの施錠スイッチの操作状態を監視する。最初に操作されたロッカーボックスの処理を優先させる。非接触ＩＣカードのアンテナ部にかざす。非接触ＩＣカードＣのＩＤコードを集中制御装置で読み取る。操作表示部に料金投入を案内する。硬貨投入口から硬貨の投入あるいは紙幣投入口から紙幣を投入する。集中制御装置は錠装置を施錠し状態表示用ＬＥＤを赤色の点灯にする。携帯電話機による操作も可能とする。
【特許文献７】特開２００５−３３９３１７号公報「電子錠付き収納庫を制御するための通信装置及び電子錠付き収納庫」  錠付き収納庫自体の盗難や、不正な開錠行為に対するセキュリティを向上できる電子錠付き収納庫を実現するため、その電子錠を通信により制御するための通信装置及びこの通信装置を備える電子錠付き収納庫を提供する。無線通信により無線通信網と接続する無線通信手段と、特定の使用者を識別するための識別情報を記憶する記憶手段と、無線通信網を介して受信される施錠信号または開錠信号に従い、電子錠の施錠または開錠を制御する制御手段とを備え、制御手段は、電子錠の施錠または開錠のためアクセスする発信者が、記憶手段に記憶された識別情報で識別される特定の使用者でない場合、所定の連絡先への通知を行う。
【特許文献８】特開平７−２７９５０７号公報「出入口扉の制御システム」  コードレスで作動制御を行う出入口扉の制御システムにおいて、電力消費を低減すると共に、電池式の採用を可能とし、さらに携帯鍵部材に対する制御装置の有効作動範囲の設定を簡単に行える出入口扉の制御システムを提供する。制御装置Ｃに少なくとも判定回路および送受信部を備え、該送受信部の発信に対する携帯鍵部材の応答信号により施錠または解錠（若しくは扉の開・閉）を無線式で制御する出入口扉の制御システムである。このものにおいて、前記判定回路および送受信部と電源との間には、判定回路および送受信部の作動または非作動を制御する切換手段を介設したものである。
【発明の開示】
【発明が解決しようとする課題】
【０００３】
従来のロッカータイプの電子錠式収納庫では、ロッカーひとつひとつに非接触式ＩＣカードと通信するリーダが設けられている。予め電子鍵が書き込まれた非接触式ＩＣカードをリーダにかざすことでロックが解除され、ロッカーの扉を開いて収納物の出し入れを行うことができる。
【０００４】
リーダは比較的高価であるため、全部のロッカーにリーダを設けることができない場合もある。そこで、ロッカーのひとつにリーダを設け、当該リーダでロッカー全体を一括して開錠するようにし、電子錠式収納庫の価格を抑えることが考えられる。例えば、本体と、これに収納される複数の引出しとを備える収納庫（以下、「ラテラル」と記す）において、最も上に位置する１段目の引出しの前面（鏡板）にリーダを設置し、それからケーブルをラテラルの本体に引き込み、２段目以降の引出しのロック機構メカ部にそれぞれ当該ケーブルを接続する。当該ケーブルを通じて開錠信号を各引出しに与えることができる。このように構成すれば、ひとつのリーダでラテラルの全部の引出しを開錠することができる。
【０００５】
ラテラルの引出しはそれぞれ引き抜くことができ、他のラテラルの引出しと交換することができる。同様に、引出しの上下の位置を交換することもできる。しかし、ケーブルがあると、ケーブルを取り外し、引出しを交換した後に再びケーブルを接続するといった作業が必要になるので、交換作業を容易に行うことができなくなる。しかも、頻繁に引出しを交換するとケーブルの断線や接触不良といったトラブルの発生する可能性が高くなる。このように、ケーブルを用いてラテラルの引出しを接続するという構成には問題がある。
【０００６】
本発明は上記問題を解決するためになされたもので、ケーブルを用いることなくラテラルの引出しをそれぞれ接続できる電子錠式収納庫及び電子錠式収納システムを提供することを目的とする。
【課題を解決するための手段】
【０００７】
この発明に係る電子錠式収納庫は、
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を送信する光通信部とを含み、
他の前記引出しは、前記引出しを施錠する施錠機構と、前記開錠信号を受信する光通信部と、前記光通信部の出力を受けて前記施錠機構による施錠を解除する制御部とを含み、
隣接する前記引出しの前記光通信部は、前記引出しが収納された状態において互いに対向するように配置されているものである。
【０００８】
この発明に係る電子錠式収納庫は、
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を送信する光通信部とを含み、
他の前記引出しは、前記引出しを施錠する施錠機構と、前記開錠信号を受信する光通信部と、前記光通信部の出力を受けて前記施錠機構による施錠を解除する制御部とを含み、
前記読み取り部を含む前記引出しと他の前記引出しとの間に位置する引出しは、前記引出しを施錠する施錠機構と、前記開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
隣接する前記引出しの前記光通信部と前記第１の光通信部又は前記第２の光通信部は、前記引出しが収納された状態において互いに対向するように配置されているものである。
【０００９】
この発明に係る電子錠式収納庫は、
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を送信する第１の光通信部及び前記第２の光通信部とを含み、
他の前記引出しは、前記引出しを施錠する施錠機構と、前記開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置されているものである。
【００１０】
端に位置する最上段又は最下段の前記引出しの前記制御部は、前記第１の光通信部と前記第２の光通信部のうち前記引出しに隣接していない側の光通信部を無効としてもよい。
【００１１】
この発明に係る電子錠式収納庫は、
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しは、それぞれ、前記引出しを施錠する施錠機構と、開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を外部へ送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置され、
最上段又は最左側の引出しの前記第１の光通信部又は最下段又は最右側の引出しの前記第２の光通信部のいずれかは、外部から前記開錠信号を受けるものである。
【００１２】
前記光通信部、前記第１の光通信部及び前記第２の光通信部は、前記引出しの前面盤の内部であって、前記前面盤の上端又は下端の一方あるいは両方、又は前記前面盤の左端又は右端の一方あるいは両方に設けられていることが好ましい。
【００１３】
この発明に係る電子錠式収納庫は、
本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しの少なくともひとつは、前記引出しを施錠する施錠機構と、非接触カードなどの電子鍵と通信する読み取り部と、前記読み取り部の出力を受けて前記施錠機構による施錠を解除する制御部と、前記制御部の出力を受けて開錠信号を外部へ送信する光通信部とを含み、
他の前記引出しは、前記引出しを施錠する施錠機構と、前記開錠信号を受信する光通信部と、前記光通信部の出力を受けて前記施錠機構による施錠を解除する制御部とを含み、
前記本体には導光部材が設けられ、
前記複数の引出しの前記光通信部は、前記引出しが収納された状態において、それぞれ前記導光部材に向くように配置されているものである。
【００１４】
この発明は、下記（１）乃至（３）を備える電子錠式収納システムである。
（１）本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しは、それぞれ、前記引出しを施錠する施錠機構と、開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置され、
端に位置する前記引出しの前記第１の光通信部又は前記第２の光通信部の少なくともいずれかは、外部からの前記開錠信号を受けることを特徴とする電子錠式収納庫
（２）非接触カードなどの電子鍵と通信する読み取り部と、前記読み取り部の出力を受けて前記開錠信号を生成する制御部とを備える管理装置
（３）最上段又は最左側の前記引出しの前記第１の光通信部又は最下段又は最右側の前記引出しの前記第２の光通信部のいずれかと互いに対向するように配置されている光通信部と、前記光通信部を前記管理装置の前記制御部に接続する配線とを備える天板又は底板
【００１５】
この発明は、下記（１）乃至（３）を備える電子錠式収納システムである。
（１）本体と、上下に重ねられて又は左右に並べられて前記本体に収納される複数の引出しと、前記本体の内側に設けられ、前記複数の引出しをそれぞれ保持する複数の保持部とを備える収納庫であって、
前記複数の引出しは、それぞれ、前記引出しを施錠する施錠機構と、開錠信号を受信するか又は前記開錠信号を送信する第１の光通信部及び第２の光通信部と、前記第１の光通信部又は前記第２の光通信部いずれか一方で受けた前記開錠信号に基づき前記施錠機構による施錠を解除するとともに、他方の光通信部で前記開錠信号を送信する制御部とを含み、
前記第１の光通信部は上側又は左側に向けられ、前記第２の光通信部は下側又は右側に向けられ、
隣接する前記引出しの前記第１の光通信部と前記第２の光通信部は、前記引出しが収納された状態において互いに対向するように配置され、
端に位置する引出しの前記第１の光通信部又は前記第２の光通信部の少なくともいずれかは、外部からの前記開錠信号を受けることを特徴とする電子錠式収納庫
（２）非接触カードなどの電子鍵と通信する読み取り部と、前記読み取り部の出力を受けて前記開錠信号を生成する制御部と、前記開錠信号を送信する光通信部とを備える管理装置
（３）前記管理装置の前記光通信部の出力光を最上段又は最左側の前記引出しの前記第１の光通信部又は最下段又は最右側の前記引出しの前記第２の光通信部のいずれかへ導く導光部材を備える天板又は底板
【発明の効果】
【００１６】
本発明によれば、ケーブルに代えて光通信部を用いて複数の引出しを接続するので、引出しを交換する際にケーブルを取り外し、引出しを交換した後に再びケーブルを接続するといった作業が不要になる。ケーブルの断線や接触不良といったトラブルが発生しないので、信頼性が向上する。
【発明を実施するための最良の形態】
【００１７】
発明の実施の形態１．
発明の実施の形態１に係る電子錠式収納庫について、図１乃至図４を参照して説明を加える。
【００１８】
図１（ａ）は発明の実施の形態１に係る電子錠式収納庫の正面図、図１（ｂ）は同右側面図である。図１（ｂ）は３段目（最下段）の引出しを半分引き出した状態を示す。
図２は、発明の実施の形態１に係る電子錠式収納庫のブロック図である。
図３は、発明の実施の形態１に係るロック機構メカ部の説明図である。図３（ａ）（ａ’）は引出しの鏡板（前面盤）の正面透視図（右半分のみを示す）、同図（ｂ）（ｂ’）は引出しの鏡板の上面透視図（右端部のみを示す）、同図（ｃ）（ｃ’）は引出しの鏡板のＡ−Ａ矢視断面図、同図（ｄ）（ｄ’）は引出しの鏡板のＢ−Ｂ矢視断面図である。同図（ａ）乃至（ｄ）は施錠（ロック）された状態を示し、同図（ａ’）乃至（ｄ’）は開錠（アンロック）された状態を示す。
図４は、発明の実施の形態１に係る開錠信号の流れの説明図である。
【００１９】
図１及び図２において、１は発明の実施の形態１に係る電子錠式収納庫を示す。電子錠式収納庫１は、箱状の本体２と、上下に重ねられて本体１に収納される複数（図１及び図２では３つ）の引出し１０と、本体２の内側に設けられ、複数の引出し１０をそれぞれ保持するサスペンション（保持部）３とを備えるラテラル（収納庫）である。引出し１０は、それぞれに設けられた取っ手１２を引くことにより手前に引き出すことができる。
【００２０】
複数の引出し１０のうちのひとつ（最上段の１段目）は、引出し１０を本体２から引き出せないように施錠するロック機構メカ部（施錠機構）２２と、ロック機構メカ部２２による施錠を解除するための非接触カードなどの電子鍵と通信するリーダ（読み取り部）２０と、リーダ２０の出力を受けてロック機構メカ部２２によるロックを解除する鍵制御基板（制御部）２１と、鍵制御基板２１の出力を受けて開錠信号を外部へ送信する赤外線ユニット（光通信部）２３とを含んでいる。なお、図１では鍵制御基板２１とロック機構メカ部２２をひとつのユニットとして表示している。
なお、本発明の実施の形態では、赤外線ユニット２３を用いて赤外線で通信を行っているが、電波に比べて波長の短い赤外線を用いることで外部への情報漏えいが少ないといったメリットを有する。なお、赤外線に代えて他の波長帯の光を使用することを排除するものではない。
【００２１】
他の引出し（２段目及び３段目）１０は、引出し１０を本体２から引き出せないようにロックするロック機構メカ部２２と、開錠信号を受信する赤外線ユニット２３と、赤外線ユニット２３の出力を受けてロック機構メカ部２２によるロックを解除する鍵制御基板２１とを含んでいる。
【００２２】
なお、３つの引出しのうち両端以外の引出し、すなわち２段目の引出しには、２つの赤外線ユニット２３，２３が設けられている。そして、２段目の引出しの鍵制御基板２１は、一方（上側、１段目側）の前記赤外線ユニット２３で受けた開錠信号に基づきロック機構メカ部２２によるロックを解除するとともに、他方（下側、３段目側）の赤外線ユニット２３で開錠信号を送信する（転送する）。
【００２３】
鍵制御基板２１、ロック機構メカ部２２及び赤外線ユニット２３は、それぞれの引出し１０の鏡板（前面盤）の内部に設けられている。リーダ２０も同様に鏡板（前面盤）１１の内部に設けられているが、その一部（非接触ＩＣカードと通信する面）は鏡板１１の外部に突出（あるいは露出）している。
【００２４】
隣接する引出し１０の赤外線ユニット２３は、隣接する引出し１０が収納された状態において互いに対向するように配置されている。すなわち、図１（ｂ）に示すように、鏡板１１の上側面及び／又は下側面であって、同じ位置に各赤外線ユニット２３は配置されている（言い換えれば、各赤外線ユニット２３は本体２の底面及び上面に一本の垂直な線の上に配列されている）。各赤外線ユニット２３が位置する鏡板１１の部分は開口されていて、本体に収納された状態で、対向する赤外線ユニット２３と２３は、その部分を通じて非接触で通信を行うことができる。
引出し１０を相互に入替可能とするには、上述のような赤外線ユニット２３の配置が好ましい。しかし、本発明はこれに限定されない。少なくとも、隣接する引出し１０の赤外線ユニット２３同士が対向していればよい。
【００２５】
図１（ｂ）から理解できるように、引出し１０を本体２の奥まで押し込んだ状態で赤外線ユニット２３と２３が対向するようになり、リーダ２０による開錠信号が各引出し１０へ伝達されるようになる。手前に引き出した状態では開錠信号は伝達されないが、その引出し１０は引き出されているので開錠信号を受け取る必要はない。ただし、リーダ２０の設けられている引出し１０からみて、引き出されている引出し１０よりも遠い引出し１０には開錠信号が伝わらず、当該遠い引出し１０を開錠することはできない。
【００２６】
図３を参照してロック機構メカ部（施錠機構）２２について説明を加える。
鏡板１１の内部には、その左右全長にわたって太い針金でできたコの字金具２２ａが設けられている。コの字金具２２ａには取っ手１２が取り付けられているとともに、コの字金具２２ａの上部の針金を中心に数十度の角度で回転できるように支えられている。取っ手１２を引くと、コの字金具２２ａの先端部分が手前に飛び出す（図３（ｄ’））。このとき、鏡板１１の左右両端に設けられたロック２２ｂが押されてその先端が内側に引っ込むことで、引出し１０のロックが解除される（図３（ｂ’））。取っ手１２を引くのを止めるとロック２２ｂは元の状態に戻る（図３（ｂ））。この状態で引出し１０を本体２へ奥まで押し込むと、ロック２２ｂの先端が本体２内部に設けられた図示しない突起に嵌まり込み、引出し１０はロックされる。
【００２７】
発明の実施の形態１に係るロック機構メカ部２２は、さらに、コの字金具２２ａに取り付けられた板２２ｃと、板２２ｃを押さえるソレノイドコイル２２ｄを備える。開錠信号を受けていないとき、鍵制御基板２１はソレノイドコイル２２ｄの突起を板２２ｃの上に突出させている（図３（ｃ））。この状態で取っ手１２を引いても、板２２ｃがソレノイドコイル２２ｄの突起に当たるため、コの字金具２２ａの先端部分が手前に飛び出すことはない（図３（ｄ））。引出し１０のロック２２ｂによるロックは解除されない。すなわち、引出し１０は施錠（ロック）されたままである。
【００２８】
開錠信号を受けたとき、鍵制御基板２１はソレノイドコイル２２ｄの突起を引っ込める（図３（ｃ’））。この状態で引出し１０を引き出すことができる。
【００２９】
図４を参照して発明の実施の形態１における開錠信号の流れを説明する。ここでは、リーダ２０を備える引出し１０を親ユニット、それ以外の引出し１０を子ユニットと呼んでいる。
親ユニットのリーダ２０が図示しない非接触式ＩＣカードと通信を行う（Ｓ１）。これで得たデータに基づき鍵制御基板２１が認証を行う（Ｓ２）。認証は公知の技術なのでその説明は省略する。認証の結果、当該カードが引出しを開ける権限をもつもののカードであると判定したとき、ロック機構メカ部２２を制御してロックを解除する（Ｓ３）。図３の例ではソレノイドコイル２２ｄの突起を引っ込める。それとともに、赤外線ユニット２３で外部（子ユニットＡ）へ開錠信号を送信する（Ｓ４）。
【００３０】
引出し１０がロックされた状態では、赤外線ユニット２３は隣接する引出し１０の赤外線ユニット２３と対向している。したがって、親ユニットの赤外線ユニット２３の開錠信号は、隣接する引出し１０の赤外線ユニット２３で受信される。これを受けて、子ユニットＡの鍵制御基板２１がロック機構メカ部２２を制御してロックを解除する（Ｓ５）。それとともに、赤外線ユニット２３で外部（子ユニットＢ）へ開錠信号を転送する（Ｓ６）。
【００３１】
子ユニットＡの赤外線ユニット２３の開錠信号は、隣接する子ユニットＢの赤外線ユニット２３で受信される。これを受けて、子ユニットＢの鍵制御基板２１がロック機構メカ部２２を制御してロックを解除する（Ｓ７）。子ユニットＢは複数の引出し１０の端（最下段）に位置するから、開錠信号の転送は行わない。
【００３２】
以上の説明からわかるように、ひとつのリーダ２０の出力で、全ての引出し１０を一括して開錠することができる。各引出し１０の鍵制御基板２１は電池で動作し、しかも引出し１０の間の通信は赤外線による非接触で行われるので、発明の実施の形態１に係る電子錠式収納庫には、引出し１０を接続するケーブルが不要である。したがって、各引出し１０を引き抜いたり交換することが容易であるとともに、ケーブルの断線や接触不良といったトラブルが発生することはなく、使いやすくかつ信頼性の高い電子錠式収納庫を提供することができる。
【００３３】
発明の実施の形態１の変形例１．
図１等で示したラテラルは３段式である。３段以上の引出し１０備える場合、両端（最上段と最下段）以外の中間に位置する引出し１０は、図４の子ユニットＡのように開錠信号の受信機能と転送機能の両方を備えている。
【００３４】
本発明は、図５に示すように２段のラテラルにも適用できる。２段の場合、中間に位置する引出しは存在しないので、子ユニットに転送機能は不要であり、受信機能のみを備えればよい。このような構成の電子錠式収納庫も本発明に含まれる。
【００３５】
発明の実施の形態１の変形例２．
図２では、中間に位置する引出し１０のみが、受信用の赤外線ユニット２３と送信（転送）用の赤外線ユニット２３の２つを備えていた。したがって、最下段の引出し１０を他の引出し１０と入れ換えて中間に置くようにすると、入れ換えにより最下段に位置するようになった他の引出し１０へ開錠信号を伝えることはできなかった。
【００３６】
図６に示すように、両端（最上段と最下段）に位置する引出し１０に２つの赤外線ユニット２３を設けるようにしてもよい。このようにすれば、どの引出し１０をどの位置（段）に置くこともできる。リーダ２０を備える引出し（親ユニット）１０の２つの赤外線ユニット２３はいずれも開錠信号を送信するものであり、それ以外の引出し（子ユニット）１０では、一方の赤外線ユニット２３は開錠信号を受信するものであり、他方の赤外線ユニット２３は開錠信号を送信（転送）するものである。
【００３７】
なお、両端（最上段と最下段）に位置する引出し１０の赤外線ユニット２３の一方には、対向する赤外線ユニット２３がない。外部からのノイズによる誤動作を防止するなどの観点からは、使用しない赤外線ユニット２３を無効にしておくことが好ましい。そのやり方として、例えば図７と図８に示すものがある。
【００３８】
図７はソフトウエア的に使用しない赤外線ユニット２３を無効にするものである。赤外線ユニット２３が発光素子と受光素子の両方を内蔵し、双方向通信ができる場合に、相手に対して呼びかけを行い（Ｓ１０）、応答がない場合（Ｓ１１でＮＯ）に、その赤外線ユニット２３を無効にする（Ｓ１２）。
【００３９】
図８はハードウェア的に対応するもので、使用しない赤外線ユニット２３を無効にするものである。赤外線ユニット２３を無効にするためのスイッチ２４を備える。鏡板１１に設けられたスイッチ２４は、本体２に設けられた図示しない突起が接触してオンになるものとする。当該突起は本体２の上面内側及び底面内側に設けられており、引出し１０を押し込んだ状態で図示しない突起がスイッチ２４をオンにする。これを鍵制御基板２１が検知して、オンにされたスイッチ２４側の赤外線ユニット２３を無効にする。これと逆に、オンにされたスイッチ２４側の赤外線ユニット２３を有効にしてもよい。例えば、スイッチ２４を磁石でオンになるリードスイッチとし、引出し１０の鏡板１１の上下に磁石を組み込んでおく。本体２の上面内側及び底面内側には磁石を設けない。引出し１０を押し込んだ状態で、隣接する引出し１０の図示しない磁石によりスイッチ２４がオンになる。これは当該スイッチ２４側には引出し１０が存在することを意味するから、鍵制御基板２１はオンにされたスイッチ２４側の赤外線ユニット２３を有効にし、オフのままのスイッチ２４側の赤外線ユニット２３を無効にする。
【００４０】
発明の実施の形態１の変形例３．
図９に示すように、ラテラルの全ての引出し１０をリーダ２０を含まない子ユニットとしてもよい。この場合、開錠信号をラテラルの外部から受ける必要がある。例えば、本体２の上面又は底面に赤外線ユニット２３と３２の通信を可能とする赤外線の伝播経路（例えば貫通穴）を設け、これを通じて最上段の引出し１０の赤外線ユニット２３が、外部の赤外線ユニット３２と通信を行う。
【００４１】
例えば、図１０に示すように、図９のラテラルの上に両開きのキャビネット４０を置き、これにリーダ３０、鍵制御基板３１及び赤外線ユニット３２を設けるようにすれば、ラテラル１とキャビネット４０の両方を一括して開錠するようにできる。
【００４２】
例えば、図１１に示すように、制御ユニット５０を別に設け、これにリーダ３０及び鍵制御基板３１を設けるとともに、ラテラル１とキャビネット４０の上に置いた天板６０に赤外線ユニット３２を設けることで、制御ユニット５０でラテラル１とキャビネット４０の両方を一括して開錠するようにできる。なお、図１２に示すように、天板６０に代えて底板７０を用いてもよい。
【００４３】
発明の実施の形態２．
発明の実施の形態１は、赤外線ユニット２３が互いに対向するように配置されたものであった。発明の実施の形態２は、導光部材（光ファイバなど）を用いることで、赤外線ユニット２３が互いに対向するように配置しなくてもよいようにしたものである。
【００４４】
図１３は、発明の実施の形態２に係る電子錠式収納庫のブロック図である。この例では、導光部材２５が本体２の右側面に全ての引出し１０をカバーするように設けられている。各引出し１０の赤外線ユニット２３は、引出し１０が押し込まれた状態で、鏡板１１の右側面及び本体２の右側面内側に設けられた貫通穴を通じて導光部材２５へ光を送り込むとともに、導光部材２５から光を受け取る。なお、引出し１０が引き出されると、鏡板１１の穴と本体２の穴が一致しなくなるので、各引出し１０の赤外線ユニット２３は通信できなくなる。各引出し１０の赤外線ユニット２３は、それぞれ導光部材２５に対向するように配置されているといえる。
【００４５】
発明の実施の形態２によれば、途中の引出し１０が引き抜かれていても、残りの引出し１０について一括して開錠することができる。
なお、図１４及び図１５に示すように、天板６０と底板７０の内部に導光部材２５を設けるようにしてもよい。
【００４６】
さらに他の変形例を図１６乃至図１８に示す。
図１６は、図１０の変形例であり、両開きのキャビネット４０の両扉に赤外線ユニット２３を設けることで両扉を開錠するものである。さらに、図１６のラテラルは４段である。
図１７は、本発明を横置きの収納庫に適用した例を示す。図１７の収納庫は、引出しが立てではなく、横に並んでいるもの（図６を横に倒したようなもの）である。本発明はこのような収納庫にも適用できる。図１７では、赤外線ユニット２３が水平方向に並んで配列されている。引出しを相互に入替可能とするには、上述のような赤外線ユニット２３の配置が好ましい。しかし、本発明はこれに限定されない。少なくとも、隣接する引出しの赤外線ユニット２３同士が対向していればよい。
図１８は、発明の実施の形態に係る電子錠式収納庫を複数組み合わせたものに、本発明を適用した例を示す。例えば、図１０と図１１又は図１２を組み合わせたもの、図１６と図１７を組み合わせたものに適用できる。図１８は、それらを混合した構成を示す。複数の電子錠式収納庫は離隔しており、そのままでは赤外線ユニット２３間で通信できないので、それらを結ぶための通信路Ｌが設けられている。通信路Ｌは、その両端にそれぞれ赤外線ユニット２３が設けられ、その中間は電気信号（例えばＬＡＮ）で伝達されるものである。あるいは、通信路Ｌは、光ファイバなど導光部材であって、光信号をそのまま伝播させるものである。
【００４７】
上記発明の実施の形態１及び２では、複数の引出しを一括して開錠したが、本発明はこれに限定されない。例えば、各引出しに予め固有のアドレスを割り当てるとともに、赤外線ユニット２３で伝達する信号にアドレス信号を含ませるようにすれば、特定の引出しのロックのみ解除するようにできる。
【００４８】
なお、上述した発明の実施の形態に係る電子錠式収納庫は、非接触式ＩＣカードで開錠するものであるが、例えば、開錠後一定時間を経過したときに自動的に施錠されるものであってもよい。例えば、その時点で開いている引出しがあった場合は、この引出しを所定の位置に押し込むことで自動的に施錠されるものであってもよい。あるいは、全ての引出しが押し込まれたことを検知した後、直ちに又は設定時間後自動的に施錠するものでもよい。又は、ＩＣカードをリーダにかざすことで施錠するものであってもよい。このようないずれの電子錠式収納庫についても、本発明を適用することができる。
【００４９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５０】
【図１】図１（ａ）は発明の実施の形態１に係る電子錠式収納庫の正面図、図１（ｂ）は同右側面図である。
【図２】発明の実施の形態１に係る電子錠式収納庫のブロック図である。
【図３】発明の実施の形態１に係るロック機構メカ部の説明図である。
【図４】発明の実施の形態１に係る開錠信号の流れの説明図である。
【図５】発明の実施の形態１に係る他の電子錠式収納庫のブロック図である（変形例１）。
【図６】発明の実施の形態１に係る他の電子錠式収納庫のブロック図である（変形例２）。
【図７】発明の実施の形態１に係る使用しない赤外線ユニットの無効処理のフローチャートである。
【図８】発明の実施の形態１に係る他の電子錠式収納庫のブロック図である（変形例２）。
【図９】発明の実施の形態１に係る他の電子錠式収納庫のブロック図である（変形例３）。
【図１０】発明の実施の形態１に係る他の電子錠式収納庫のブロック図である（変形例３）。
【図１１】発明の実施の形態１に係る他の電子錠式収納庫のブロック図である（変形例３）。
【図１２】発明の実施の形態１に係る他の電子錠式収納庫のブロック図である（変形例３）。
【図１３】発明の実施の形態２に係る電子錠式収納庫のブロック図である（変形例３）。
【図１４】発明の実施の形態２に係る他の電子錠式収納庫のブロック図である（変形例３）。
【図１５】発明の実施の形態２に係る他の電子錠式収納庫のブロック図である（変形例３）。
【図１６】他の発明の実施の形態に係る電子錠式収納庫のブロック図である。
【図１７】他の発明の実施の形態に係る電子錠式収納庫のブロック図である。
【図１８】他の発明の実施の形態に係る電子錠式収納庫のブロック図である。
【符号の説明】
【００５１】
１    電子錠式収納庫（ラテラル）
２    本体
３    サスペンション（保持部）
１０    引出し
１１    鏡板（前面盤）
１２    取っ手
２０    リーダ（読み取り部）
２１    鍵制御基板（制御部）２１
２２    ロック機構メカ部（施錠機構）
２２ａ  コの字金具
２２ｂ  ロック
２２ｃ  板
２２ｄ  ソレノイドコイル
２３    赤外線ユニット（光通信部）
２４    スイッチ
２５    導光部材（光ファイバなど）
【図１】
2008013974.tif 000003
【図２】
2008013974.tif 000004
【図３】
2008013974.tif 000005
【図４】
2008013974.tif 000006
【図５】
2008013974.tif 000007
【図６】
2008013974.tif 000008
【図７】
2008013974.tif 000009
【図８】
2008013974.tif 000010
【図９】
2008013974.tif 000011
【図１０】
2008013974.tif 000012
【図１１】
2008013974.tif 000013
【図１２】
2008013974.tif 000014
【図１３】
2008013974.tif 000015
【図１４】
2008013974.tif 000016
【図１５】
2008013974.tif 000017
【図１６】
2008013974.tif 000018
【図１７】
2008013974.tif 000019
【図１８】
2008013974.tif 000020